(57)【特許請求の範囲】
【請求項１】
収納ケースに収納して被梱包用品を空中梱包する空中梱包具において、
所定の配列方向で配列され、各列ごとに適宜な間隔を隔て、かつ隣り合う列どうしの間では互い違いとなるように切り込みが形成された面部をもつ第１の用品保持枠板部と、この第１の用品保持枠板部の周囲にそれぞれ折り目を介して上下動可能に設けられた第１の腰板部とを有する第１の梱包具と、
この第１の梱包具に形成された切り込みとで前記被梱包用品を抱え込むために、前記所定の配列方向と直交する配列方向で配列され、各列ごとに適宜な間隔を隔て、かつ隣り合う列どうしの間では互い違いとなるように切り込みが形成された面部をもつ第２の用品保持枠板部と、この第２の用品保持枠板部の周囲にそれぞれ折り目を介して上下動可能に設けられた第２の腰板部とを有する第２の梱包具とを備えたことを特徴とする空中梱包具。
【請求項２】
請求項１に記載の空中梱包具において、
前記第１の用品保持枠板部及び第２の用品保持枠板部の何れか一方の用品保持枠板部の前記切り込み部分以外の周縁部に形成されたロック孔と、
このロック孔が形成された用品保持枠板部と相対する他方の用品保持枠板部の前記切り込み以外の周縁部に形成され、折り曲げによって前記ロック孔に係止する切欠き支持片とを設けたことを特徴とする空中梱包具。
【請求項３】
収納ケース内に収納して被梱包用品を空中梱包する空中梱包具において、
所定の配列方向で配列され、各列ごとに適宜な間隔を隔て、かつ隣り合う列どうしの間では互い違いとなるように切り込みが形成された面部を持つ第１の用品保持枠板部と、この第１の用品保持枠板部の周囲にそれぞれ折り目を介して上下動可能に設けられた第１の腰板部とを有する第１の梱包具と、
この第１の梱包具に形成された切り込みとで前記被梱包用品を抱え込むために、前記第１の用品保持枠板部の切り込みと同じ配列方向で配列され、各列ごとに適宜な間隔を隔て、かつ隣り合う列どうしの間では互い違いとなるように切り込みが形成された面部を持つ第２の用品保持枠板部と、この第２の用品保持枠板部の周囲にそれぞれ折り目を介して上下動可能に設けられた第２の腰板部とを有する第２の梱包具と、
両端部に平坦膨出部が形成され、前記被梱包用品を抱え込む前記第１の用品保持枠板部及び第２の用品保持枠板部の当該被梱包用品以外の位置に存在する切り込みに対して前記一方の平坦膨出部を挿通し回転させることにより、前記第１の用品保持枠板部と第２の用品保持枠板部とを接続する接続用パーツとを備えたことを特徴とする空中梱包具。
【請求項４】
請求項１ないし請求項３の何れか一項に記載の空中梱包具において、
前記第１及び第２の梱包具の素材としては、コート紙を用いることを特徴とする空中梱包具。
【請求項５】
請求項１に記載する空中梱包具を用いて被梱包用品を梱包し収納する収納ケースであって、
前記被梱包用品を抱え込む前記用品保持枠板部の当該被梱包用品以外の部分と対面する前記収納ケースの蓋体の内側に取り付けられ、前記蓋体の閉塞時に前記用品保持枠板部を押さえ込む緩衝材を設けたことを特徴とする空中梱包具を用いた収納ケース。
【発明の詳細な説明】
【技術分野】
【０００１】
本発明は、搬送時に電子機器などの被梱包用品を空中梱包するための空中梱包具及び空中梱包具を用いた収納ケースに関する。
【背景技術】
【０００２】
各種の電子部品や電子製品などの電子機器を搬送する際、収納ケース内に電子機器を空中に浮かせた状態で梱包するための梱包具が使用されている。
【０００３】
従来の梱包具は、方形をなす枠板の四辺周囲に枠折り目及び当該枠折り目から所定距離隔てて腰折り目を付けることにより、それぞれ２枚の矩形型の第1及び第２の腰板を形成する。第1の腰板は枠折り目〜腰折り目までの幅を有する矩形型の板体であり、第２の腰板は腰折り目以降に延びる第1の腰板よりも狭幅を有する矩形型の板体である。第1及び第２の腰板は、枠板の四辺周囲にそれぞれ形成される。
【０００４】
さらに、方形状の枠板の中央部分には、四角形の中窓を形成するとともに、当該中窓の四隅から放射方向に所定長さの切り込みを設け、かつ各切り込み端部を結ぶように窓折り目を付することにより、上下方向に可動可能な窓板を形成する。
【０００５】
そして、電子機器の梱包時、前述した枠板に対して第1の腰板を９０度折り曲げ、さらに第1の腰板に対して９０度折り曲げた状態にして収納ケース内の下側に設定した後、枠板中央部の中窓に付される窓板を下方に押し込むようにして電子機器を収納する。さらに、電子機器の上側に同様の梱包具を被せるように設定することにより、２つの梱包具で電子機器を挟み込む。さらに、上側梱包具の第1及び第２の腰板を、下側の梱包具の第1及び第２の腰板とは反対方向に折り曲げた後、収納ケースの蓋体を閉じて梱包を完了する（特許文献１）。
【０００６】
さらに、従来、他の梱包具としては、方形状の枠板中央部に中窓を形成するとともに、当該中窓を塞ぐようにサランラップのごときポリウレタンフイルムを貼り付けたものがある。この梱包具は、中窓に貼り付けられた伸縮可能なポリウレタンフイルム部分に電子機器を押付けるように設定した後、当該電子機器の上側に同様の構成の梱包具を被せるように設定し、２つの梱包具で電子機器を挟み込んで梱包する構成である。
【特許文献１】実用新案登録第３１００６６９号（図１参照）
【発明の開示】
【発明が解決しようとする課題】
【０００７】
しかしながら、前者の梱包具は、方形状の枠板の中央部に四角形の中窓を形成し、かつ当該中窓の四隅から放射状に切り込みを入れて上下方向に可動可能な窓板を形成した構成である。そのため、梱包可能な電子機器としては、窓板を含む中窓の形状及び大きさに依存した用品の梱包しか使用できない。このことは、電子機器ごとに梱包具の窓板を含む中窓の大きさを変更する必要がある。また、四角形の外形を持つ電子機器に限られ、例えば外部に凹凸を持った電子機器の梱包には不向きである。
【０００８】
また、梱包具の本体部分となる枠板に中窓が形成されているので、当該電子機器の凹凸部分を吸収することができない。つまり、電子機器の凹凸部分が中窓から飛び出し、中空梱包の役割を果たさなくなり、搬送時に電子機器を損傷させてしまう問題がある。
【０００９】
前者の梱包方法は、梱包具を用いて梱包した電子機器を収納ケース内に収納するとき、上下の梱包具の下部及び上部にエラスチック性薄膜、フォーム付き緩衝保持枠やゴム網付き緩衝保持枠を用いることから、それなりのスペースを確保する必要があり、コストが高くなり、収納ケースが大型化する問題がある。
【００１０】
一方、後者の梱包具においては、枠板に形成された中窓にポリウレタンフイルムを貼り付けたものであるが、例えば複数の電子部品を収納する場合、ポリウレタンフイルムの中央部分が膨出し、複数の電子部品が寄り集まった状態となってしまう。その結果、電子機器の搬送時に電子部品どうしで衝突し、損傷する問題がある。また、ポリウレタンフイルムを用いるため、電子機器搬送終了後の廃棄時に再生が難しく、環境を悪化させる可能性がある。
【００１１】
本発明は上記事情に鑑みてなされたもので、被梱包用品の凹凸部でも容易に吸収し、かつ被梱包用品のずれを抑えつつ空中梱包可能な空中梱包具及び空中梱包具を用いた収納ケースを提供することを目的とする。
【課題を解決するための手段】
【００１２】
上記課題を解決するために、収納ケース内に収納して被梱包用品を空中梱包する本発明に係る空中梱包具は、所定の配列方向で配列され、各列ごとに適宜な間隔を隔て、かつ隣り合う列どうしの間では互い違いとなるように切り込みが形成された面部をもつ第１の用品保持枠板部と、この第１の用品保持枠板部の周囲にそれぞれ折り目を介して上下動可能に設けられた第１の腰板部とを有する第１の梱包具と、
この第１の梱包具に形成された切り込みとで前記被梱包用品を抱え込むために、前記所定の配列方向と直交する配列方向で配列され、各列ごとに適宜な間隔を隔て、かつ隣り合う列どうしの間では互い違いとなるように切り込みが形成された面部をもつ第２の用品保持枠板部と、この第２の用品保持枠板部の周囲にそれぞれ折り目を介して上下動可能に設けられた第２の腰板部とを有する第２の梱包具とを備えた構成である。
【００１３】
この発明は以上のような構成とすることにより、第１の用品保持枠板部と第２の用品保持枠板部とで被梱包用品を挟んで抱え込むようにすれば、各用品保持枠板部の切り込みが断面格子状の縞を形成するごとく被梱包用品の外形状に馴染むように膨出するので、被梱包用品の凹凸を容易に吸収することが可能である。また、第1の用品保持枠板部と第２の用品保持枠板部との面部に形成される切り込みが逆配列となっているので、互いに被梱包用品の動きを封ずるように作用し、搬送時の被梱包用品の損傷を未然に回避することが可能である。
【００１４】
また、本発明に係る空中梱包具は、第１の用品保持枠板部及び第２の用品保持枠板部の何れか一方の用品保持枠板部の切り込み部分以外の周縁部に形成されたロック孔を設け、このロック孔が形成された用品保持枠板部と相対する他方の用品保持枠板部の前記切り込み以外の周縁部に切欠き支持片を設ければ、被梱包用品の梱包時に他方の用品保持枠板部側の切欠き支持片を折り曲げて前記一方の用品保持枠板部のロック孔に係止することにより、被梱包用品の梱包後に上側に配置される梱包具の浮き上りを防ぐことが可能である。
【００１５】
さらに、本発明に係る空中梱包具としては、所定の配列方向で配列され、各列ごとに適宜な間隔を隔て、かつ隣り合う列どうしの間では互い違いとなるように切り込みが形成された面部を持つ第１の用品保持枠板部と、この第１の用品保持枠板部の周囲にそれぞれ折り目を介して上下動可能に設けられた第１の腰板部とを有する第１の梱包具と、この第１の梱包具に形成された切り込みとで前記被梱包用品を抱え込むために、前記第１の用品保持枠板部の切り込みと同じ配列方向で配列され、各列ごとに適宜な間隔を隔て、かつ隣り合う列どうしの間では互い違いとなるように切り込みが形成された面部を持つ第２の用品保持枠板部と、この第２の用品保持枠板部の周囲にそれぞれ折り目を介して上下動可能に設けられた第２の腰板部とを有する第２の梱包具と、両端部に平坦膨出部が形成され、前記被梱包用品を抱え込む前記第１の用品保持枠板部及び第２の用品保持枠板部の当該被梱包用品以外の位置に存在する切り込みに対して前記一方の平坦膨出部を挿通し回転させることにより、前記第１の用品保持枠板部と第２の用品保持枠板部とを接続する接続パーツとを設けた構成である。
【００１６】
この発明は以上のような構成とすることにより、第１の用品保持枠板部と第２の用品保持枠板部とで被梱包用品を挟むように抱え込んだ後、これら用品保持枠板部の当該被梱包用品以外の位置に存在する切り込みを利用し、接続パーツにて第１の用品保持枠板部と第２の用品保持枠板部とを接続するので、被梱包用品の梱包後に上側に配置される梱包具の浮き上りを防ぐことが可能となる。また、接続パーツにて第１の用品保持枠板部と第２の用品保持枠板部とを接続することにより、梱包後の被梱包用品の動きを封ずることが可能となる。
【００１７】
なお、前述した第１及び第２の梱包具の素材として、コート紙を用いれば、用品搬送後の廃棄時に再利用することが可能となり、環境面にやさしい空中梱包具を実現することが可能である。
【００１９】
さらに、本発明に係る前述した空中梱包具を用いた収納ケースとしては、前記被梱包用品を抱え込む前記用品保持枠板部の当該被梱包用品以外の部分と対面する前記収納ケースの蓋体の内側に用品保持枠板部を押さえ込む緩衝材を設ければ、収納ケースの蓋体を閉塞した際に確実に用品保持枠板部の周縁部を押さえ込むことが可能である。
【発明の効果】
【００２０】
本発明によれば、被梱包用品の凹凸部でも容易に吸収することができ、また被梱包用品のずれを抑えた状態で空中梱包できる空中梱包具及び空中梱包具を用いた収納ケースを提供できる。
【発明を実施するための最良の形態】
【００２１】
以下、本発明の実施形態について図面を参照して説明する。  
（第１の実施の形態）
図１は本発明に係る空中梱包具の第１の実施形態を示す平面図である。  
この空中梱包具は、図１（ａ），（ｂ）に示すように上下に相対向させて被梱包用品を挟んで梱包する一対の梱包具１０，２０により構成される。これら梱包具１０，２０の素材としては、張り，剛性等に優れた特性を備えた紙材（厚紙等）が用いられるが、同一の特性を有するものであれば、例えば地球環境に比較的負担をかけないプラスチック材であってもよい。しかし、最適な素材としては、以上の特性を保有するコート紙が望ましい。コート紙は、張り，剛性等の特性を有するだけでなく、湿気に対する吸収力が高い材料と言える。
【００２２】
図１（ａ）に示す一方の梱包具１０は、被梱包用品の梱包時に例えば下側に配置されるものであって、用品保持枠板部１１と腰板部１２とからなる。  
用品保持枠板部１１は、方形状に形成され、その面部には図示するように例えば縦方向に列をなし、かつ当該縦方向と直交する方向（以下、便宜的に横方向と呼ぶ）に所定間隔毎に切り込み１３，…が設けられている。これら切り込み１３，…は、各縦方向に適宜な間隔を離しながら複数個形成されている。また、隣り合う列どうしの切り込み１３，…は互い違いの位置関係となるように配列されている。
【００２３】
なお、隣り合う列どうしの切り込み１３，…を互い違いとした理由は、被梱包用品の梱包時、用品保持枠板部１１が被梱包用品の重み及び凹凸部を受けて下部方向に膨出させ、側方から見たときに格子状の縞模様となるように変形させることにより、被梱包用品の重み及び凹凸部を吸収可能とさせる為である。
【００２４】
前記用品保持枠板部１１の四辺周囲にはそれぞれ折り目１４を介して腰板部１２が設けられている。腰板部１２は、折り目１４を介して上下に折り曲げ可能になっている。腰板部１２は矩形型ないし短冊型をなし、その腰高さ寸法は被梱包用品の高さ方向の寸法及び収納ケースに応じて適宜変更する。
【００２５】
なお、用品保持枠板部１１の面部に配列される切り込み１３，…は、各列とも全て同じ長さとする必要はなく、例えば比較的高重量の被梱包物を収納する場合、両端側にそれぞれ配列される複数列の切り込み１３，…を長くすれば、被梱包物の重さを吸収し、両端部の切り込み１３，…だけに余計な重量が加わらないようにすることができる。
【００２６】
図１（ｂ）に示す他方の梱包具２０は、被梱包用品の梱包時に例えば上側に配置されるものであって、梱包具１０と同様に用品保持枠板部２１と腰板部２２とからなる。この用品保持枠板部２１の面部には梱包具１０と同様に切り込み１３，…が設けられている。なお、梱包具２０の素材、用品保持枠板部２１及び腰板部２２の形状等については、梱包具１０と同様であるので、ここではその詳しい説明を省略する。
【００２７】
梱包具２０の異なるところは、用品保持枠板部２１面部の切り込み２３，…が梱包具１０と全く逆に配列されていることである。つまり、用品保持枠板部２１の面部には、図示する如く横方向に列をなし、かつ当該横方向と直交する縦方向に所定間隔毎に切り込み２３，…が設けられている。これら切り込み２３，…は、各横方向に適宜な間隔を離しながら複数個形成されている。また、隣り合う列どうしの切り込み２３，…は互い違いの位置関係となるように配列されている。
【００２８】
以上のように用品保持枠板部１１の切り込み１３，…と用品保持枠板部２１の切り込み２３，…の配列方向を逆にした理由は、用品搬送時に被梱包用品の動きを封ずる作用を持たせる為である。
【００２９】
なお、相対する一対の梱包具１０，２０を製造する場合、図２に示すように所定の大きさのコート紙に対し、例えば切り込み１３，…、２３，…や折り目１４，２４を形成する刃を持った打ち抜き加工機などを用いて、一対の梱包具１０，２０を容易に切り出すことができる。
【００３０】
図３は梱包具１０，２０を用いて被梱包用品３０を梱包するときの状態を示す図である。すなわち、下側に配置される図１（ｂ）に示す梱包具１０は、用品保持枠板部１１の四辺周囲に形成される折り目１４を境とし、用品保持枠板部１１に対して腰板部１２を９０度下方に折り曲げる。そして、図４に示すように収納ケース３１の内側底部に用品保持枠板部１１を４つの腰板部１２で支えるように設定する。
【００３１】
この状態において、用品保持枠板部１１の上面中央部に梱包し搬送しようとする被梱包用品３０を載せる。このとき、用品保持枠板部１１の周縁部から中央部にわたって徐々に切り込み１３が下降し、被梱包用品３０の重量及び凹凸部に馴むように変形する。
【００３２】
引き続き、上側に配置される図１（ｂ）に示す梱包具２０については、用品保持枠板部２１の四辺周囲に形成される折り目２４を境とし、用品保持枠板部２１に対して腰板部２２を９０度上方に折り曲げる。そして、上方から被梱包用品３０に被せるように収納ケース３１内に押し込み、収納ケース３１の蓋体３２を閉じる。その結果、用品保持枠板部１１に配列される切り込み１３，…と用品保持枠板部２１に配列される切り込み２３，…とで被梱包用品３０の凹凸部を吸収するように変形し、収納ケース３内で被梱包用品３０を空中保持するように設定される。
【００３３】
図５は梱包具１０，２０を用いて被梱包用品３０を梱包したときの側方から見たイメージ図である。この図から明らかなように被梱包用品３０が空中梱包された状態となっている。
【００３４】
従って、この第１の実施の形態によれば、梱包時の被梱包用品３０の上下方向に凹凸部があっても、下側の用品保持枠板部１１に配列される切り込み１３，…と上側の用品保持枠板部２１に配列される切り込み２３，…とで容易に吸収することができる。また、被梱包用品３０の平面方向に凹凸部があっても、当該被梱包用品３０の形状に馴染むように各切り込み１３，…、２３，…が変形し吸収することができる。
【００３５】
また、外部から振動や衝撃が収納ケース３１に加わった場合、その振動や衝撃に追随して被梱包用品３０が動こうとするが、下側の用品保持枠板部１１の切り込み１３，…と上側の用品保持枠板部２１の切り込み２３，…との配列方向が互いに逆になっているので、被梱包用品３０の動きを封じ、被梱包用品３０の損傷を未然に回避することができる。
【００３６】
さらに、所定の大きさのコート紙から一対の梱包具１０，２０をほぼ同時に切り出すことが可能であり、製造の簡素化及び副資材の削減化により、コストの大幅削減にも貢献する。
【００３７】
さらに、一対の梱包具１０，２０の素材として、例えばコート紙を用いれば、環境面の負担を軽減できる。
【００３８】
なお、上記実施の形態では、用品保持枠板部１１の切り込み１３，…と用品保持枠板部２１の切り込み２３，…との配列方向が互いに逆配列であることを説明したが、これら切り込み１３，…と切り込み２３，…の配列方向を同方向としてもよい。また、被梱包用品３０の大きさに応じて、切り込み２３，…の長さ及び配列を任意に変更することが可能である。
【００３９】
さらに、梱包具１０を下側に配置し、梱包具２０を上側に配置する例で説明をしたが、梱包具２０を下側に、梱包具１０を上側に配置してもよいものである。
【００４０】
（第２の実施の形態）
図６は本発明に係る空中梱包具における第２の実施形態を示す平面図である。  
第１の実施の形態における一対の梱包具１０，２０は、梱包する被梱包用品３０を、用品保持枠板部１１の切り込み１３，…と用品保持枠板部２１の切り込み２３，…とで挟んで抱え込むように梱包するが、梱包具１０，２０自体が張り、剛性等を保有することから、例えば収納ケース３１の蓋体３２が開放状態にあるとき、上側に配置される梱包具２０が浮き上った状態となり、蓋体３２を完全に閉め切るまでの間不安定な状態となる。
【００４１】
そこで、この実施の形態においては、下側の梱包具１０を構成する用品保持枠板部１１の非切り込み部分である両周縁部にそれぞれ例えば矩形状又は逆Ｔ字状のロック孔１５を形成する。一方、上側の梱包具２０を構成する用品保持枠板部２１の前記ロック孔１５と対面する両周縁部には、先端部が膨出し、かつ基端部が用品保持枠板部２１と連通する切欠き支持片２５を形成する。
【００４２】
そして、用品保持枠板部１１の上面部に被梱包用品３０を載せた後、上側の梱包具２０を構成する用品保持枠板部２１に形成される切欠き支持片２５を下方に没するように折り曲げ、当該切欠き支持片２５の先端膨出部分をロック孔１５に掛け止めるようにすれば、梱包時に上側に配置され梱包具２０の浮き上りを抑えることができる。
【００４３】
このような実施の形態によれば、切欠き支持片２５を折り曲げてロック孔１５に引っ掛けて止めるので、用品保持枠板部１１と用品保持枠板部２１との両周縁部を絞りこんで接続した状態とするので、上側の梱包具２０の浮き上りを抑えることができ、また被梱包用品３０の動きも封ずることができる。
【００４４】
また、被梱包用品３０の梱包時、当該被梱包用品３０の上下方向及び平面方向に凹凸部が有っても、用品保持枠板部１１の切り込み１３，…と用品保持枠板部２１の切り込み２３，…とを被梱包物３０の外観形状に適切に馴染んだ状態で変形し、確実に梱包できる。
【００４５】
なお、この実施の形態は、用品保持枠板部１１の両側周縁部にロック孔１５を形成したが、さらに用品保持枠板部１１の上下側周縁部にも追加的にロック孔１５を形成してもよい。この場合には、当然、用品保持枠板部２１のロック孔１５に対応する部分には追加的に切欠き支持片２５が設けられる。
【００４６】
また、用品保持枠板部１１の一側周縁部に１個のロック孔１５を形成し、他側周縁部に２個のロック孔１５を形成する構成であってもよい。勿論、これらロック孔１５に対応して用品保持枠板部２１に切欠き支持片２５を設けるものである。
【００４７】
（第３の実施の形態）
図７は本発明に係る空中梱包具における第３の実施形態を説明する接続用パーツを説明する図である。  
第１の実施の形態では、用品保持枠板部１１に形成される切り込み１３，…と用品保持枠板部２１に形成される切り込み２３，…との配列方向を逆にした例を説明したが、例えば用品保持枠板部１１の切り込み１３，…と用品保持枠板部２１の切り込み２３，…との配列を同方向としてもよい。しかし、この場合には一対の梱包具１０，２０で梱包された被梱包用品３０がずれる可能性がある。
【００４８】
そこで、第３の実施の形態では、２つの梱包具１０，２０とは別に新たに接続用パーツ３５を採用し、下側梱包具１０と上側梱包具２０とで被梱包用品３０を挟み込むように梱包した後、２つの梱包具１０，２０の被梱包用品３０以外の必要な部位を接続用パーツ３５で接続し、被梱包用品３０の動きを封ずるものである。
【００４９】
この接続用パーツ３５は、図７（ａ）に示すように、薄肉に形成され、所定の幅をもった胴体部３５ａと、この胴体部３５ａの両端部に設けられ、当該胴体部３５ａの幅よりも大なる半月状膨出部３５ｂとで構成される。
【００５０】
そして、接続用パーツ３５の使用にあっては、梱包具１０，２０で被梱包用品３０を挟み込んだ後、上側に配置される用品保持枠板部２１の切り込み２３，…のうち、被梱包用品３０から外れた位置に存在する任意の切り込み２３に対して、薄肉に形成された接続用パーツ３５の一端膨出部３５ｂを差し込んだ後、引き続き、下側の用品保持枠板部１１の相対する切り込み１３に差し込んでいく（図７（ｂ）参照）。そして、相対する上下の用品保持枠板部２１，１１の切り込み２３，１３に接続用パーツ３５を貫通させた後、当該接続用パーツ３５を９０度回せば、図７（ｃ）のように接続用パーツ３５の両端膨出部３５ｂが上下の用品保持枠板部２１，１１に引っ掛かり、両用品保持枠板部２１，１１を接続し支持することができる。
【００５１】
この実施の形態においても、第２の実施の形態と同様の作用効果を奏するものである。
【００５２】
（第４の実施の形態）
図８は本発明に係る空中梱包具を用いた収納ケース３１の一実施の形態を示す斜視図である。
【００５３】
第２の実施の形態でも説明したように、２つの梱包具１０，２０で被梱包用品３０を挟み込むように梱包したとき、上側に配置される梱包具２０が浮き上った状態となり、蓋体３２を完全に閉め切るまでの間不安定な状態となる。
【００５４】
そこで、この実施の形態では、収納ケース３１の蓋体３２内側に梱包具２０を押え付ける緩衝材３６を取り付ける構成とする。緩衝材３６の取り付け位置は、梱包具１０のほぼ中央部に被梱包用品３０を設定することから、被梱包用品３０の外形を考慮し、当該被梱包用品３０から十分に離れた蓋体３２内側の周縁部とする。
【００５５】
なお、図では、開閉蓋体３２内側の前後に緩衝材３６を取り付けたが、相対する両側方縁部に取り付けてもよく、或いは蓋体３２内側の四辺周縁部にそれぞれ緩衝材３６を取り付け、用品保持枠板部２１の四方を押さえ込む構成であってもよい。
【００５６】
この実施の形態によれば、収納ケース３１の蓋体３２内側に緩衝材３６を取り付けたことにより、蓋体３２が閉塞した際、蓋体３２内側の緩衝材３６が自動的に用品保持枠板部２１を押え付けるので、上側に配置される梱包具２０が浮き上りを防ぐだけでなく、搬送時の被梱包用品３０の動きも確実に抑えることができる。
【００５７】
なお、本発明は、上記実施の形態に限定されるものでなく、その要旨を逸脱しない範囲で種々変形して実施できる。上記実施の形態では、用品保持枠板部１１，２１の四辺周囲にはそれぞれ折り目１４を介して１つの腰板部１２を設けたが、例えば用品保持枠板部１１，２１の四辺周囲にはそれぞれ二段形式の折り目を付け、それぞれ２つの腰板部を形成したものでもよい。この場合には、最も外側の腰板部が収納ケース３１内側の底面及び蓋体３２の内側面にそれぞれ面接触し、梱包具１０，２０による梱包時の安定な支持を確保することができる。
【図面の簡単な説明】
【００５８】
【図１】本発明に係る空中梱包具の第1の実施の形態を示す平面図。
【図２】一枚のコート紙から一対の梱包具を切り出す例を説明する図。
【図３】一対の梱包具を用いて、被梱包用品を梱包するときの例を示す図。
【図４】収納ケース内に空中梱包具を用いて被梱包用品を収納した状態を示す展開図。
【図５】被梱包用品の梱包時に一対の梱包具を断面したときのイメージ図。
【図６】本発明に係る空中梱包具の第２の実施の形態を示す平面図。
【図７】本発明に係る空中梱包具の第３の実施の形態を説明する図。
【図８】本発明に係る収納ケースの実施の形態を説明する展開図。
【符号の説明】
【００５９】
１０，２０…梱包具、１１，２１…用品保持枠板部、１２，２２…腰板部、１３，２３…切り込み、１４，２４…折り目、１５…ロック孔、２５…切欠き支持片、３０…被梱包用品、３１…収納ケース、３２…蓋体、３５…接続用パーツ、３６…緩衝材。
【図１】
0004721796.tif 000002
【図２】
0004721796.tif 000003
【図３】
0004721796.tif 000004
【図４】
0004721796.tif 000005
【図５】
0004721796.tif 000006
【図６】
0004721796.tif 000007
【図７】
0004721796.tif 000008
【図８】
0004721796.tif 000009